(57)【要約】【課題】本発明は、漏磁束を発生させるトランスにおいて、設計自由度を高めることを目的とする。【解決手段】この目的を達成するために本発明は、直線部７Ｄと、この直線部７Ｄの一端に設けた脚７Ａと、直線部７Ｄの他端に設けた脚７Ｂと、直線部７Ｄの一部に設けた中脚７Ｃとを有する磁心７と、直線部８Ｄと、この直線部８Ｄの一端に設けた脚８Ａと、直線部８Ｄの他端に設けた脚８Ｂと、直線部８Ｄの一部に設けた中脚８Ｃとを有する磁心８と、磁心７における脚７Ａ及び中脚７Ｃ間の直線部７Ｄに巻回する一次巻線１４と、磁心７における脚７Ｂ及び中脚７Ｃ間の直線部７Ｄに巻回する二次巻線１５とを備え、磁心７における脚７Ａと磁心８における脚８Ａとが向かい合い、磁心７における脚７Ｂと磁心８における脚８Ｂとが向かい合い、磁心７における中脚７Ｃと磁心８における中脚８Ｃとが向かい合うトランスとしたものである。【選択図】図３
2006324463.tif 000002
【特許請求の範囲】
【請求項１】
第１の直線部と、この第１の直線部の一端に設けた第１の脚と、前記第１の直線部の他端に設けた第２の脚と、前記第１の直線部の一部に設けた第１の中脚とを有する第１の磁心と、第２の直線部と、この第２の直線部の一端に設けた第３の脚と、前記第２の直線部の他端に設けた第４の脚と、前記第２の直線部の一部に設けた第２の中脚とを有する第２の磁心と、前記第１の磁心における第１の脚及び第１の中脚間の直線部に巻回する一次巻線と、前記第１の磁心における第２の脚及び第１の中脚間の直線部に巻回する二次巻線とを備え、前記第１の磁心における第１の脚と前記第２の磁心における第３の脚とが向かい合い、前記第１の磁心における第２の脚と前記第２の磁心における第４の脚とが向かい合い、前記第１の磁心における第１の中脚と前記第２の磁心における第２の中脚とが向かい合うトランス。
【発明の詳細な説明】
【技術分野】
【０００１】
本発明は、液晶パネル等に用いられるトランスに関するものである。
【背景技術】
【０００２】
従来この種のトランスは、図４，５に示されるように、一次コイル１及び二次コイル２が巻回されたＩ字コア３と、中脚４Ａを有するＥ字コア４とを備え、この中脚４Ａにより漏磁束５を発生させることにより、磁束６による一次コイル１と二次コイル２との磁気結合を調節し、トランスに流れる電流の特定周波数に対するインピーダンス値を制御していた。
【０００３】
なお、この出願に関する先行技術文献情報としては、例えば、特許文献１が知られている。
【特許文献１】特開２０００−２１６５９号公報
【発明の開示】
【発明が解決しようとする課題】
【０００４】
このような従来のトランスでは設計自由度の低さが問題となっていた。
【０００５】
すなわち、上記従来の構成においては、磁束６という磁場の大きな流れができてしまっているため、一次コイル１と二次コイル２との磁気結合を調節するのに有効な漏磁束５を発生させるためには、中脚４Ａを極力Ｉ字コア３に近づける必要があり、その結果として中脚４Ａの長さ調節可能範囲が狭くなってしまい、設計自由度が低くなっていた。
【０００６】
そこで本発明は、漏磁束を発生させるトランスにおいて、設計自由度を高めることを目的とする。
【課題を解決するための手段】
【０００７】
そして、この目的を達成するために本発明は、第１の直線部と、この第１の直線部の一端に設けた第１の脚と、前記第１の直線部の他端に設けた第２の脚と、前記第１の直線部の一部に設けた第１の中脚とを有する第１の磁心と、第２の直線部と、この第２の直線部の一端に設けた第３の脚と、前記第２の直線部の他端に設けた第４の脚と、前記第２の直線部の一部に設けた第２の中脚とを有する第２の磁心と、前記第１の磁心における第１の脚及び第１の中脚間の直線部に巻回する一次巻線と、前記第１の磁心における第２の脚及び第１の中脚間の直線部に巻回する二次巻線とを備え、前記第１の磁心における第１の脚と前記第２の磁心における第３の脚とが向かい合い、前記第１の磁心における第２の脚と前記第２の磁心における第４の脚とが向かい合い、前記第１の磁心における第１の中脚と前記第２の磁心における第２の中脚とが向かい合うトランスとしたものである。
【発明の効果】
【０００８】
本発明のトランスは、第１の磁心において中脚を有するため、有効に漏磁束を発生させることができるため、第１の磁心における中脚と第２の磁心における中脚との長さ直接可能な範囲を大きく取ることができ、その結果、設計自由度を高くすることができる。
【発明を実施するための最良の形態】
【０００９】
（実施の形態１）
以下、本発明のトランスについて図面を参照しながら説明する。
【００１０】
図１に示す、脚７Ａ、脚７Ｂ、脚７Ｃ、直線部７Ｄを有するＥ字磁心７は、図２に示すごとく一次巻線巻回部９及び二次巻線巻回部１０を有するボビン１１に挿入しており、脚７Ｃは中空部１２から、脚７Ａは二次巻線巻回部１０の横から、７Ｂは一次巻線巻回部９の横から飛び出させている。
【００１１】
一方、図１に示す脚８Ａ、脚８Ｂ、脚８Ｃ、直線部８Ｄを有するＥ字磁心８は、図２に示すごとく脚８Ａを平坦部１３Ａ、脚８Ｂを平坦部１３Ｂに載置すると共に、脚８Ａと脚７Ａ、脚８Ｂと脚７Ｂ、脚８Ｃと脚７Ｃがそれぞれ向かい合うよう設置する。
【００１２】
ここで、図面には示していないが、一次巻線巻回部９には一次コイルを、二次巻線巻回部１０には二次コイルを巻回することにより、トランスを構成している。
【００１３】
次に、このトランスに電流を流すとどのような磁束が発生するのかについて、図３を用いて説明する。図３において、一次巻線巻回部９に巻回した一次巻線１４側から本発明のトランスに電流を流すと、Ｅ字磁心７における脚７Ａ、直線部７Ｄ、脚７Ｂ、Ｅ字磁心８における脚８Ｂ、直線部８Ｄ、脚８Ａにより構成される閉路において磁束１６が発生し、この磁束１６を用いて二次巻線巻回部１０に巻回した二次巻線１５に電流が流れる。
【００１４】
一方、図３においてＥ字磁心７における脚７Ｃは中空部１２から顔を出しており、この脚７Ｃと向かい合わせたＥ字磁心８における脚８Ｃと、直線部８Ｄの一部、脚８Ａ、Ｅ字磁心７における７Ａ、直線部７Ｄの一部により構成される閉路により漏磁束１７が発生する。
【００１５】
このように、脚７Ｃが中空部１２から向かい合う脚８Ｃの方向へ飛び出す構成としたため、このトランスに流す交流電流の周波数に対するインダクタンスの値を変化させる上で重要な漏磁束１７を有効に発生させることができるため、Ｅ字磁心８における脚８Ｃを極力Ｅ字磁心７の方向に伸ばす必要が無く、その結果として脚８Ｃ及び脚７Ｃの長さ調節可能範囲を大きくとることができ、所望の周波数において所望のインダクタンス値になるよう制御する上での設計自由度を高くすることができる。
【産業上の利用可能性】
【００１６】
本発明のトランスは、設計自由度が高いという効果を有し、各種電気機器において有用である。
【図面の簡単な説明】
【００１７】
【図１】本発明の一実施形態のトランスの分解斜視図
【図２】本発明の同トランスの斜視図
【図３】本発明の同トランスの断面図
【図４】従来のトランスの断面図
【図５】従来のトランスの斜視図
【符号の説明】
【００１８】
７  Ｅ字磁心
７Ａ，７Ｂ，７Ｃ  脚
７Ｄ  直線部
８  Ｅ字磁心
８Ａ，８Ｂ，８Ｃ  脚
８Ｄ  直線部
９  一次巻線巻回部
１０  二次巻線巻回部
１２  中空部
１３Ａ，１３Ｂ  平坦部
１４  一次巻線
１５  二次巻線
１６  磁束
１７  漏磁束
【図１】
2006324463.tif 000003
【図２】
2006324463.tif 000004
【図３】
2006324463.tif 000005
【図４】
2006324463.tif 000006
【図５】
2006324463.tif 000007